(57)【要約】【課題】導体で構成されるケースとカバーからなる筐体の内壁全体を二重構造とすることなく電磁的なシールド性能を持たせた通信機器を得ること【解決手段】導体からなるケース１３を構成する各壁部１２には、５つずつのＺ字部１７を連結してなるシム１８がピン１９によって位置決めされて取り付けられている。導体からなるカバー１６を位置決め穴で位置決めしつつケース１３に近づけると、シムの下片部２７と上片部２８を連結する連結部２５が壁部１２、１５の対向位置で圧接され、これによって下片部２７が壁部１２を上向きに、また上片部２８が壁部１５を下向きに押した状態でケース１３とカバー１６が圧接する。これにより、電磁的なシールドと、ケース１３とカバー１６の電気的な接触が行われる。【選択図】図３
2005235951.tif 000002
【特許請求の範囲】
【請求項１】
電磁波の遮蔽を行うべき箇所をなす部位に存在する平板状の一対の導電性部材と、
この一対の導電性部材における対向する互いに平行な一対の端面の間に配置されこれら端面の間の距離が所定間隔以下に近づいたときその外力によって端面との傾斜角度をゼロに向かって変化させる傾斜角度可変部と、この傾斜角度可変部と連続したばね性の部材で構成され、傾斜角度可変部の両端位置でそれぞれ前記一対の導電性部材の対応する方の側部に向かって折れ曲がり、前記一対の端面の間の間隔が前記傾斜角度可変部の角度変化に抗する力に打ち勝って狭められるにつれて、これらの先端位置が前記傾斜角度可変部の傾斜角度の変化に応じて前記一対の導電性部材のそれぞれ対応する方の側面と圧接すると共に前記一対の端面が互いに近接する方向の力を対応する導電性部材に与える圧接部と、前記一対の端面の間隔が前記傾斜角度可変部の角度変化に抗する力に打ち勝って更に狭められた状態で前記折れ曲がった箇所から前記圧接部までの部位が弾性変形しその変形状態を保持することで前記一対の端面が前記傾斜角度可変部を圧接した状態で自己保持される弾性保持部とを備えたシム部材
とを具備することを特徴とする通信機器。
【請求項２】
密閉した導電性の箱状の容器の、この容器を構成する所定の厚さの壁部分を、その高さよりも低い所定位置で壁面と直交する所定の面で二つに切断したときの切断面をそれぞれ端面とする第１および第２の容器と、
前記第１の容器の前記端面から間隔を置いてそれぞれ垂直に突出した複数の位置決め用ピンと、
前記第１および第２の容器の前記端面を合わせて前記密閉した導電性の箱状の容器を構成するとしたとき、前記第１の容器の位置決め用ピンとそれぞれ対応するように前記第２の容器の前記端面に配置された位置決めピン挿入用の位置決め穴と、
前記第１の容器の前記端面に沿って配置され前記位置決め用ピンによって位置決めを行う位置に位置決め用穴を設けた棒状の所定数の連結部と、それぞれの連結部に間隔を置いて配置され、連結部が中央に配置されたとき連結部と垂直な断面がＺ字状となるように折り曲げられたそれ自体がばね性を有するＺ字状部とを有するシム部材
とを具備することを特徴とする通信機器。
【請求項３】
密閉した導電性の箱状の容器の、この容器を構成する所定の厚さの壁部分を、その高さよりも低い所定位置で壁面と直交する所定の面で二つに切断したときの切断面をそれぞれ端面とする第１および第２の容器と、
前記第１の容器の前記端面から間隔を置いてそれぞれ垂直に突出した複数の位置決め用ピンと、
前記第１および第２の容器の前記端面を合わせて前記密閉した導電性の箱状の容器を構成するとしたとき、前記第１の容器の位置決め用ピンとそれぞれ対応するように前記第２の容器の前記端面に配置された位置決めピン挿入用の位置決め穴と、
前記第１の容器の前記端面に沿って配置され前記位置決め用ピンによって位置決めを行う位置に位置決め用穴を設けた棒状の所定数の連結部と、それぞれの連結部の一方の側部から前記端面の長さ方向に間隔を置いてこの長さ方向とは直交する方向に所定長だけ伸び出し、かつ連結部を構成する面に対して９０度未満の角度となる方向に折り曲げられて形成された上方向突片部と、前記連結部の前記長さ方向における一方の側部に前記上方向突片部が存在しない位置で他方の側部からこの長さ方向とは直交する方向に他の所定長だけ伸び出し、かつ連結部を構成する面に対して９０度未満の角度となる方向に折り曲げられて形成された下方向突片部とを備えたシム部材
とを具備することを特徴とする通信機器。
【請求項４】
前記容器の内部には高周波回路が内蔵されていることを特徴とする請求項２または請求項３記載の通信機器。
【請求項５】
前記箱状の容器は内部が空間となった直方体状の容器であり、導体で形成されていることを特徴とする請求項２または請求項３記載の通信機器。
【請求項６】
密閉した導電性の箱状の容器の、この容器を構成する所定の厚さの壁部分を、その高さよりも低い所定位置で壁面と直交する所定の面で二つに切断したときの切断面をそれぞれ端面とする第１および第２の容器のうちの第１の容器の前記壁部分に第２の容器の前記壁部分を挿入して締め込むシム部材を装着するシム部材装着ステップと、
このシム部材装着ステップでシム部材を装着した後の前記第１の容器に前記第２の容器をその壁部材が前記シム部材に締め込まれるように挿入する壁部材挿入ステップ
とを具備することを特徴とする通信機器のシールド方法。
【発明の詳細な説明】
【技術分野】
【０００１】
本発明は、電波の漏洩や干渉を防止するためのシールド構造を有する通信機器および通信機器のシールド方法に係わり、特に回路基板を収容するケースとそのカバーを備えた構造の通信機器および通信機器のシールド方法に関する。
【背景技術】
【０００２】
通信用の各種回路部品を内蔵した通信機器の多くは、高周波等の不要な電波を外部に漏洩させたり電波による干渉が生じないように電磁遮蔽を行っている。回路基板の外側を覆う筐体がケースとカバーによって構成される場合、これらの部品自体あるいはこれらの部品を構成する表面等の面を金属等の電磁波を遮蔽する物質で構成する一方で、ケースとカバーの接続部分からできるだけ電波が漏れ出さないような工夫を行う必要がある。
【０００３】
そこで、従来では、ボトムカバーとトップカバーの接続部分をシールドケースによって二重の壁構造とすることで、この部分からの空気の漏れを防ぐと共に、電磁的なシールド性能を持たせる第１の提案が行われている（たとえば特許文献１参照）。この第１の提案の通信機器のボトムカバーとトップカバーは、共に、平板状の部材と、その両端部から直角に折り曲げられた側壁部を備えた断面がコ字状となった構造となっている。これらのボトムカバーとトップカバーを、それぞれの側壁部を向かい合わせ、これらの側壁部の内側に共に接するような壁部材を有するシールドケースを設けて、側壁と壁部材で２重構造とするようにしている。この提案の通信機器では、筐体の壁部分が全体的に二重構造となっているので、この部分から電磁波が外部に放出される事態を効率的に軽減させることができる。
【０００４】
高周波回路を配置した基板のこの高周波回路を取り巻く位置に複数の穴を穿っておき、ここにシールド板の足を通し、基板の上方からはシールド板と側壁部分が二重の壁構造となるように上部シールドカバーを取り付け、基板の下方からはシールド板の足の部分と側壁部分が二重の壁構造となるように下部シールドカバーを取り付けるようにした第２の提案も行われている（たとえば特許文献２参照）。
【特許文献１】特許２６２４３８５号（第００１１段落、図１）。
【特許文献２】特開平７−３０２７６号公報（第０００７段落、図１）。
【発明の開示】
【発明が解決しようとする課題】
【０００５】
ところで、小型の通信機器ではその高機能化や内部回路装置の高集積化に伴って、シールド性能を持たせる構成部品の更なる小型化およびシールドに要する部品の容量の縮小化が求められている。ところが、第１および第２の提案の通信機器では、共に筐体の壁部分が全体的に二重構造となっている。このため、筐体内部での回路基板等の部品の収容効率が悪くなる。
【０００６】
そこで本発明の目的は、導体で構成されるケースとカバーからなる筐体の内壁全体を二重構造とすることなく電磁的なシールド性能を持たせた通信機器および通信機器のシールド方法を得ることにある。
【課題を解決するための手段】
【０００７】
請求項１記載の発明では、（イ）電磁波の遮蔽を行うべき箇所をなす部位に存在する平板状の一対の導電性部材と、（ロ）この一対の導電性部材における対向する互いに平行な一対の端面の間に配置されこれら端面の間の距離が所定間隔以下に近づいたときその外力によって端面との傾斜角度をゼロに向かって変化させる傾斜角度可変部と、この傾斜角度可変部と連続したばね性の部材で構成され、傾斜角度可変部の両端位置でそれぞれ一対の導電性部材の対応する方の側部に向かって折れ曲がり、一対の端面の間の間隔が傾斜角度可変部の角度変化に抗する力に打ち勝って狭められるにつれて、これらの先端位置が傾斜角度可変部の傾斜角度の変化に応じて一対の導電性部材のそれぞれ対応する方の側面と圧接すると共に一対の端面が互いに近接する方向の力を対応する導電性部材に与える圧接部と、一対の端面の間隔が傾斜角度可変部の角度変化に抗する力に打ち勝って更に狭められた状態で折れ曲がった箇所から圧接部までの部位が弾性変形しその変形状態を保持することで一対の端面が傾斜角度可変部を圧接した状態で自己保持される弾性保持部とを備えたシム部材とを通信機器に具備させる。
【０００８】
すなわち請求項１記載の発明では、電磁波の遮蔽を行うべき箇所をなす部位に平板状の一対の導電性部材が存在している。この一対の導電性部材の間には、傾斜角度可変部が存在している。傾斜角度可変部は、一対の導電性部材が所定間隔以下に近づいたとき導電性部材の端面に対する傾斜角度を、距離が近づくにつれてゼロに向かって変化させるようになっている。傾斜角度可変部を構成する部材の両端は、一対の導電性部材の対応する方の側部に向かって折れ曲がっており、圧接部を形成している。この圧接部は、一対の端面の間の間隔が傾斜角度可変部の角度変化に抗する力に打ち勝って狭められるにつれて、これら両端としての先端位置が傾斜角度可変部の傾斜角度の変化に応じて一対の導電性部材のそれぞれ対応する方の側面と圧接すると共に一対の端面が互いに近接する方向の力を対応する導電性部材に与えるようになっている。弾性保持部は、この圧接部と折れ曲がった箇所までの部位として構成されており、一対の端面の間隔が傾斜角度可変部の角度変化に抗する力に打ち勝って更に狭められた状態で、弾性変形をして変形状態を保持する。これにより、一対の端面が傾斜角度可変部を圧接した状態で自己保持されることになり、平板状の一対の導電性部材が傾斜角度可変部を一対の端面で押し付けた状態で保持され、これにより、この部分での電磁波の遮蔽が行われることになる。
【０００９】
請求項２記載の発明では、（イ）密閉した導電性の箱状の容器の、この容器を構成する所定の厚さの壁部分を、その高さよりも低い所定位置で壁面と直交する所定の面で二つに切断したときの切断面をそれぞれ端面とする第１および第２の容器と、（ロ）第１の容器の端面から間隔を置いてそれぞれ垂直に突出した複数の位置決め用ピンと、（ハ）第１および第２の容器の端面を合わせて密閉した導電性の箱状の容器を構成するとしたとき、第１の容器の位置決め用ピンとそれぞれ対応するように第２の容器の端面に配置された位置決めピン挿入用の位置決め穴と、（ニ）第１の容器の端面に沿って配置され位置決め用ピンによって位置決めを行う位置に位置決め用穴を設けた棒状の所定数の連結部と、それぞれの連結部に間隔を置いて配置され、連結部が中央に配置されたとき連結部と垂直な断面がＺ字状となるように折り曲げられたそれ自体がばね性を有するＺ字状部とを有するシム部材とを通信機器に具備させる。
【００１０】
すなわち請求項２記載の発明は、第１および第２の容器の端面同士を合わせて密閉した導電性の箱状の容器を構成する通信機器に関するものである。この発明では、第１の容器の端面に複数の位置決め用ピンが垂設されており、第２の容器の端面の対応する位置には位置決めピン挿入用の位置決め穴が設けられている。位置決め用ピンには、シム部材をその位置決め用穴で位置決めして取り付けておき、このシム部材のＺ字状部に第２の容器の所定の厚さの壁部分を締め込むようにしている。
【００１１】
請求項３記載の発明では、（イ）密閉した導電性の箱状の容器の、この容器を構成する所定の厚さの壁部分を、その高さよりも低い所定位置で壁面と直交する所定の面で二つに切断したときの切断面をそれぞれ端面とする第１および第２の容器と、（ロ）第１の容器の端面から間隔を置いてそれぞれ垂直に突出した複数の位置決め用ピンと、（ハ）第１および第２の容器の端面を合わせて密閉した導電性の箱状の容器を構成するとしたとき、第１の容器の位置決め用ピンとそれぞれ対応するように第２の容器の端面に配置された位置決めピン挿入用の位置決め穴と、（ニ）第１の容器の端面に沿って配置され位置決め用ピンによって位置決めを行う位置に位置決め用穴を設けた棒状の所定数の連結部と、それぞれの連結部の一方の側部から端面の長さ方向に間隔を置いてこの長さ方向とは直交する方向に所定長だけ伸び出し、かつ連結部を構成する面に対して９０度未満の角度となる方向に折り曲げられて形成された上方向突片部と、連結部の長さ方向における一方の側部に上方向突片部が存在しない位置で他方の側部からこの長さ方向とは直交する方向に他の所定長だけ伸び出し、かつ連結部を構成する面に対して９０度未満の角度となる方向に折り曲げられて形成された下方向突片部とを備えたシム部材とを通信機器に具備させる。
【００１２】
すなわち請求項３記載の発明では、第１および第２の容器の端面同士を合わせて密閉した導電性の箱状の容器を構成する通信機器に関するものである。この発明では、第１の容器の端面に複数の位置決め用ピンが垂設されており、第２の容器の端面の対応する位置には位置決めピン挿入用の位置決め穴が設けられている。位置決め用ピンには、シム部材をその位置決め用穴で位置決めして取り付けておき、上方向突片部と下方向突片部を連結部で連結した形状のシム部材に対して第２の容器の所定の厚さの壁部分を締め込むようにしている。上方向突片部と下方向突片部は、共に連結部を構成する面に対して９０度未満の角度となる方向に折り曲げられて形成されているが、この角度はたとえば４５度程度である。
【００１３】
請求項６記載の発明では、（イ）密閉した導電性の箱状の容器の、この容器を構成する所定の厚さの壁部分を、その高さよりも低い所定位置で壁面と直交する所定の面で二つに切断したときの切断面をそれぞれ端面とする第１および第２の容器のうちの第１の容器の壁部分に第２の容器の壁部分を挿入して締め込むシム部材を装着するシム部材装着ステップと、（ロ）このシム部材装着ステップでシム部材を装着した後の第１の容器に第２の容器をその壁部材がシム部材に締め込まれるように挿入する壁部材挿入ステップとを通信機器のシールド方法に具備させる。
【００１４】
すなわち請求項６記載の発明では、シム部材装着ステップで、電磁的に密閉の対象となる第１の容器の壁部分にシム部材を装着し、次の壁部材挿入ステップでは第１の容器に第２の容器をその壁部材がシム部材に締め込まれるように挿入する。これにより、第１および第２の容器を端面同士を合わせるだけで、簡単に電磁シールドを施すことができる。
【発明の効果】
【００１５】
このように本発明によれば、ケースとそのカバーあるいは第１および第２の容器で筐体が構成される通信機器で、一方の部品を他方の部品で締め込むことにより、両部品の直接的な接触およびシム部材を介しての両部品の接触によって、筐体を構成する両部品の電気的な接触を向上させることができる。
【００１６】
また、本発明によれば、ケースとそのカバーあるいは第１および第２の容器で筐体が構成される通信機器で、壁部分にシム部材を取り付けて一方の部品を他方の部品で締め込むので、壁部材の全面を二重構造とすることなくシールド機能を実現することができる。したがって、実装スペースを有効利用することができ、通信機器としてのユニットの小型化を図ることができる。
【００１７】
更に本発明によれば、シム部材を使用して壁の部分でケースとそのカバーあるいは第１および第２の容器を結合するようにしたので、通信機器の厚さ寸法のバラツキを抑制することができる。すなわち、これらの部品の壁の部分を基準として結合を行うことにしたので、厚さ方向の寸法公差に起因するバラツキをこれらの壁の部分の厚さとシム部材の板厚のバラツキに抑えることができ、寸法制御が容易になる。
【００１８】
また、本発明では、ケースとそのカバーあるいは第１および第２の容器で筐体が構成される通信機器で、一方の部品の壁の部分にシム部材を取り付けておき、他方の部品の壁の部分をこのシム部材に締め込むことにより両部品を結合することにしたので、その組み立てが極めて簡単になり、作業時間の短縮と工数の低減につながる。また、シム部材がばね性を有しているので、復元性を持たせることができる。
【発明を実施するための最良の形態】
【００１９】
以下実施例につき本発明を詳細に説明する。
【実施例１】
【００２０】
図１は本発明の一実施例におけるユニット構造の通信機器の二分された筐体部分について、これらの結合前の外観を示したものである。この通信機器１０は、正方形の底板１１の各辺と垂直に、所定の高さの壁部１２を有するケース１３と、同じく正方形の上板１４とこの上板１４の各辺と垂直に、所定の高さの壁部１５を有するカバー１６を備えている。ケース１３の壁部１２には、５つずつのＺ字部１７を連結してなるシム１８が、壁部１２の上端部に植設された位置決めピン１９によって位置決めされた状態で取り付けられている。本実施例で底板１１は一辺が５０ｍｍの正方形で、壁部１２、１５は共に厚さが数ｍｍ程度の板金あるいはダイカストで形成されている。
【００２１】
図２は、この通信機器を分解した状態を示したものである。ケースの壁部１２の上端部には、１つの壁面当たり２本ずつ、位置決めピン１９が植設されている。カバーの壁部１５の下端部における対応する位置には、ピン１９の嵌入する位置決め穴２１が穿たれている。シム１８は５つのＺ字部１７を連結しており、本実施例ではこれが各辺ごとに合計４つ使用されている。シム１８には、位置決めピン１９を通すための貫通穴２２が１つ当たり２つずつ設けられている。基板２３は、図示しないが高周波回路をその少なくとも一部に配置している。
【００２２】
図３はカバーとケースに対するシムの位置関係を示したものであり、図４は図３における破線２４で囲んだ部分を拡大したものである。また、図５および図６は、本実施例のシムを上側からあるいは下側から見たものである。図５および図６から明らかなように、シム１８は断面がＺ字状に折れ曲がったＺ字部１７を、その中央部分２５Ａと一体的に連なる連結部２５で連結しており、１枚の薄いニッケル・クロム・鉄合金からなるインコネル（登録商品）等からなる弾性に富む金属板を打ち抜いたものである。Ｚ字部１７は、これらの図に示すような形状に折り曲げている。連結部２５には１つのシム１８当たり２つの長穴が穿たれており、これらが貫通穴２２を構成している。
【００２３】
シム１８は、図４に示したようにケース１３の位置決めピン１９をそれぞれの貫通穴２２に通して、壁部１２上に仮止めされる。貫通穴２２はピン１９の太さよりも若干大きく、Ｚ字部１７における下側に折り曲げられた下片部２７は、この状態で壁部１２と軽く接触するか離間している。シム１８の長さは壁部１２のそれぞれの辺と等しくなっている。
【００２４】
シム１８のＺ字部１７の上の部分を構成する上片部２８は、図３および図４に示すように、ケース１３の壁部１２よりも外側に所定量ずつ広がった形状となっている。したがって、カバー１６と平行に壁部１５を切断したとしたとき構成される正方形よりも、シム１８の上片部２８の同一高さの位置を連ねた４つの直線の交点を四隅とする正方形の方が大きなサイズとなり、カバー１６をケース１３に取り付けるときのそれぞれのシム１８に対するカバー１６の壁部１５の位置決めが容易である。
【００２５】
図７は、カバーをケースに取り付ける際のシムの形状の変化を時間の経過と共に示したものである。このうち同図（ａ）は、ケースの壁部１２の上端部とカバーの壁部１５の下端部の間に、シム１８がこの図には示していないピンによって取り付けられた初期状態を示している。
【００２６】
同図（ｂ）はカバーの壁部１５の下端部をシムの中央部分２５Ａと接触させ、この状態で所定距離だけ壁部１５の下端部をケースの壁部１２の上端部に近づけた場合を表わしている。シム１８は弾性に富んだ材料で構成されているので、中央部分２５Ａの傾斜角が同図（ａ）に比べて水平に近づくにつれて、上片部２８の矢印で示した上端部２８Ａおよび下片部２７の矢印で示した下端部２７Ａは、それぞれ対応する壁部１５、１２に近づく。
【００２７】
同図（ｃ）は、カバーの壁部１５の下端部を壁部１２の上端部側に更に押し付けた状態を表わしたものである。上片部の上端部２８Ａはカバーの壁部１５に押し付けられ、下片部の下端部２７Ａはケースの壁部１２に押し付けられる。そして、最終的には同図（ｄ）に示すように下片部２７および上片部２８が共に撓む。このとき、シム１８のばね性によって、下端部２７Ａはこれに圧接しているケースの壁部１２を上方向に持ち上げる力を与え、上端部２８Ａはこれに圧接しているカバーの壁部１５を下方向に下ろす力を与える。この結果、ケースの壁部１２の上端面とカバーの壁部１５の下端面がシムの中央部分２５Ａを介して常に圧接する状態となる。
【００２８】
シム１８はその厚さが薄く、かつ中央部分２５Ａでカバーの壁部１５とケースの壁部１２に隙間なく圧接されている。また、シムの下片部２７および上片部２８が壁部１２、１５をその内側あるいは外側から覆うように配置されている。したがって、これらの接合部分で、ケース１３とカバー１６の電気的な接触が良好に保たれるだけでなく、電波の漏洩を防止するという電磁的なシールド機能も良好に発揮させることができる。
【００２９】
ところで、本実施例の通信機器１０は、底板１１が正方形をしており、それぞれのシム１８の長さは底板１１の一辺とほぼ等しい長さとなっている。ケースの壁部１２の四隅の部分には、シム１８が存在しないことになるが、このような部位は微小であり、この部分からの電磁波の放出は無視することができる場合が多い。壁部１２の四隅の内側部分にシム１８の高さとほぼ同じ高さで直角に折れ曲がった電磁遮蔽材（図示せず）をあてがっておくと、壁部１２の四隅の部分から電磁波が外部に放出されるのを有効に防止することができる。
【００３０】
以上説明したように、本実施例の通信機器１０は、シム１８をケース１３のピン１９で位置決めして壁部１２に取り付けた後、それぞれのピン１９が位置決め穴２１に差し込まれるように位置決めしてカバー１６をケース１３に押さえつければ、これらの強固な結合が簡単に完了する。しかもケース１３とカバー１６の結合はバネ性を有するシム１８によって行っているので、カバー１６をケース１３から外した際も、同一のシム１８を再利用してこれらの結合を行うことができる。
【００３１】
＜発明の変形例＞
図８〜図１４は、本発明の変形例における通信機器を示したものである。このうち、通信機器の結合前の外観を示した図８は図１に対応し、各部を分解した状態を示す図９は図２に対応する。また、カバーとケースに対するシムの位置関係を示した図１０およびその要部としての破線２４Ａで囲んだ部分を拡大した図１１は図３および図４に対応し、シムの外観を示した図１２および図１３は図５および図６と対応する。カバーをケースに取り付ける際のシムの形状の変化をそれぞれ示した図１４は、図７に対応している。そこで、図８〜図１４に示した変形例で図１〜図７に示した実施例と同一部分には同一の符号を付しており、これらの説明を適宜省略する。
【００３２】
この変形例の通信機器１０Ａでも、図８あるいは図１０に示すようにケース１３の壁部１２にシム４１をピン１９で位置決めして取り付け、これに対してカバー１６を上方から押し付けてケース１３との結合を行うようになっている。シム４１は、図１１〜図１３に示すように上方向に垂直に延び、それらの上部がそれぞれケースの壁部１２の外側に向かって円弧状に折り曲げられると共に長手方向に間隔を置いて櫛歯状に配置された７つの上方向突片部４２を備えている。
【００３３】
これらの上方向突片部４２は、先の実施例と同様に貫通穴２２を２つずつ備えた連結部２５に連結されている。また、連結部２５におけるその長手方向で貫通穴２２の配置された箇所を除く部位は、上方向突片部４２の下部とで断面形状としては上端部がやや開いた二等辺三角形をなすように折り返され、折り返し部４３を構成している。これらの折り返し部４３における上方向突片部４２と対向する部位は、上方向突片部４２とわずかの距離を置いて連結部２５の長さ方向に切断されている。これに対して、折り返し部４３における上方向突片部４２と対向していない部位では、更に上方向突片部４２の下部と平行な平面を形成するように所定長ずつ折り返され、合計６つの下方向突片部４５を構成している。下方向突片部４５の下端部も、ケースの壁部１２の外側に向かって円弧状に折り曲げられている。
【００３４】
したがって、図８に示したようにそれぞれのシム４１をケースの壁部１２に仮止めした状態では、上方向突片部４２と下方向突片部４５が共に壁部１２と平行に、かつ、これよりも外側に張り出した状態となっている。そして、上方向突片部４２よりも下方向突片部４５の方が、わずかではあるが外側に張り出した状態となっている。
【００３５】
図１４を用いて、この変形例の通信機器１０Ａでケース１３にカバー１６を取り付けるときの様子を説明する。同図（ａ）は、ケースの壁部１２の上端部とカバーの壁部１５の下端部の間に、シム４１がこの図には示していないピンによって取り付けられた初期状態を示している。この状態では、シムの連結部２５がケースの壁部１２の上端部と接触するように配置されており、折り返し部４３はまだカバーの壁部１５の下端部と接触していない。
【００３６】
同図（ｂ）はカバーの壁部１５の下端部をシムの折り返し部４３と接触させ、この状態で所定距離だけ壁部１５の下端部をケースの壁部１２の上端部に近づけた場合を表わしている。シム４１は弾性に富んだ材料で構成されているので、壁部１５の下端部が壁部１２の上端部に近づくにつれて、シムの連結部２５と折り返し部４３のなす角度が狭くなる。これと共に、連結部２５と所定の角度をなして配置された上方向突片部４２における矢印で示した先端部４２Ａが壁部１５に近づき、折り返し部４３と所定の角度をなして配置された下方向突片部４５における矢印で示した先端部４５Ａが壁部１２に近づく。
【００３７】
同図（ｃ）は、カバーの壁部１５の下端部を壁部１２の上端部側に更に押し付けた状態を表わしたものである。壁部１５の下端部が下降するのに伴って、連結部２５と折り返し部４３のなす角度が更に小さくなる。この結果、シムの連結部２５と所定の角度をなして配置された上方向突片部の先端部４２Ａが壁部１５と接触し、同様にして先端部４５Ａの方も壁部１２と接触する。そして、最終的には同図（ｄ）に示すように上方向突片部４２および下方向突片部４５が共に撓むと共に連結部２５と折り返し部４３のなす角度がゼロになる。このとき、シム１８のばね性によって、下方向突片部４５がケースの壁部１２を上方向に持ち上げる力を与え、上方向突片部４２がこれに圧接しているカバーの壁部１５を下方向に下ろす力を与える。この結果、ケースの壁部１２の上端面とカバーの壁部１５の下端面がシムの連結部２５と折り返し部４３の折り畳まれた箇所を介して常に圧接する状態となる。
【００３８】
シム１８はその厚さが薄く、かつ連結部２５と折り返し部４３の折り畳まれた箇所でカバーの壁部１５とケースの壁部１２に隙間なく圧接されている。また、シムの先端部４２Ａ、４５Ａが壁部１５、１２をその外側から圧接している。したがって、ケース１３とカバー１６の電気的な接触が良好に保たれるだけでなく、電磁的なシールド機能も良好に発揮させることができる。
【００３９】
なお、以上説明した実施例および変形例では正方形をした底板１１を使用したが、長方形あるいは五角形以上の多角形あるいは三角形をしたものであってもよい。要は、シム１８、４１をそれぞれの辺に応じた長さとすればよい。また、実施例ではＺ字部１７を直線状に連結したシム１８を用意したが、２辺以上の辺を連結した形状とすることで壁部１２の隅の部分にも連結部２５を配置することが可能になる。
【００４０】
また、実施例および変形例ではケース１３およびカバー１６の全体を金属で構成したが、表面全体を導体で被覆したり蒸着したケースやカバーを使用してもよいことは当然である。
【図面の簡単な説明】
【００４１】
【図１】本発明の一実施例における通信機器の筐体部分の結合前の外観を示した斜視図である。
【図２】本実施例の通信機器を分解した状態を示した分解斜視図である。
【図３】本実施例でカバーとケースに対するシムの位置関係を示した斜視図である。
【図４】図３における破線で囲んだ部分の拡大斜視図である。
【図５】本実施例のシムを上側から見た斜視図である。
【図６】本実施例のシムを下側から見た斜視図である。
【図７】本実施例でカバーをケースに取り付ける際のシムの形状の変化をそれぞれ示す端面図である。
【図８】本発明の変形例における通信機器の筐体部分の結合前の外観を示した斜視図である。
【図９】変形例の通信機器を分解した状態を示した分解斜視図である。
【図１０】変形例でカバーとケースに対するシムの位置関係を示した斜視図である。
【図１１】図１０における破線で囲んだ部分の拡大斜視図である。
【図１２】変形例のシムを上側から見た斜視図である。
【図１３】変形例のシムを下側から見た斜視図である。
【図１４】変形例でカバーをケースに取り付ける際のシムの形状の変化をそれぞれ示す端面図である。
【符号の説明】
【００４２】
１０、１０Ａ  通信機器
１１  底板
１２、１５  壁部
１３  ケース
１４  上板
１６  カバー
１８、４１  シム
１９  ピン
２１  位置決め穴
２２  貫通穴
２３  基板
２５  連結部
２７  下片部
２７Ａ  下端部
２８  上片部
２８Ａ  上端部
４２  上方向突片部
４２Ａ、４５Ａ  先端部
４３  折り返し部
４５  下方向突片部
【図１】
2005235951.tif 000003
【図２】
2005235951.tif 000004
【図３】
2005235951.tif 000005
【図４】
2005235951.tif 000006
【図５】
2005235951.tif 000007
【図６】
2005235951.tif 000008
【図７】
2005235951.tif 000009
【図８】
2005235951.tif 000010
【図９】
2005235951.tif 000011
【図１０】
2005235951.tif 000012
【図１１】
2005235951.tif 000013
【図１２】
2005235951.tif 000014
【図１３】
2005235951.tif 000015
【図１４】
2005235951.tif 000016